(57)【特許請求の範囲】
【請求項１】
自力で移動することが困難で、介護用移動リフトに懸架されて移動することを余儀なくされている要介護者の身体に装着される着衣本体を備え、
上記着衣本体は、上記介護者の上肢から大腿部にかけて包み込むように装着される上衣体と、上記要介護者の下腿部を包むように装着されるズボン体とから一体的に形成されており、
上記着衣本体には、上記上衣体の後身頃に沿って、懸架ベルトを介して上記要介護者を上記介護用移動リフトに懸架するためのスリングシートが所定の係止手段を介して着脱可能に取り付けられることを特徴とする介護用パジャマ。
【請求項２】
上記スリングシートは、上記要介護者の肩部から腰部にかけて包み込むように支持する背側支持部と、上記要介護者の臀部から大腿部にかけて包み込むように支持する脚側支持部とを備えて上記要介護者の脊柱を中心として左右対称に形成されており、
上記上衣体の係止手段は、上記スリングシートの上記背側支持部を着脱可能に係止する第１係止手段と、上記スリングシートの上記脚側支持部を着脱可能に係止する第２係止手段とからなることを特徴とする請求項１に記載の介護用パジャマ。
【請求項３】
上記背側支持部の肩側左右上端部と上記脚側支持部の大腿部側左右側部のそれぞれには、上記上衣体の上記第１係止手段と上記第２係止手段と係止可能な係止手段が設けられているとともに、上記懸架ベルトへと連結される連結手段が設けられていることを特徴とする請求項２に記載の介護用パジャマ。
【請求項４】
上記上衣体には、上記背側支持部の肩側左右上端部と上記脚側支持部の大腿部側左右側部のそれぞれが挿通可能なスリットが設けられていることを特徴とする請求項２または３に記載の介護用パジャマ。
【請求項５】
上記上衣体の袖部は、袖布と胴体布を脇から襟に向けて斜め４５度の角度として縫合されるラグランスリーブとされており、上記縫合線に沿って上記背側支持部の肩側左右上端部が挿通されるスリットが形成されていることを特徴とする請求項２ないし４のいずれか１項に記載の介護用パジャマ。
【請求項６】
上記上衣体の後身頃は、表地布と裏地布とで二重に形成されており、上記スリングシートが上記表地布と上記裏地布との間に取り付けられることを特徴とする請求項１ないし５のいずれか１項に記載の介護用パジャマ。
【請求項７】
上記上衣体の後身頃には、上記スリングシートを上記上衣体の内部へと挿通可能な背側スリットが設けられていることを特徴とする請求項１ないし６のいずれか１項に記載の介護用パジャマ。
【発明の詳細な説明】
【技術分野】
【０００１】
本発明は、自力で動くことが困難で介護用移動リフトを介しての移動を余儀なくされている要介護者に着用させる介護用パジャマに関し、さらに詳しく言えば、要介護者を介護用移動リフトに懸架するのに用いるスリングシートを着脱可能に備える介護用パジャマに関する。
【背景技術】
【０００２】
病気や高齢のために身動きができない状態で寝たきりとなっている要介護者を、トイレや風呂などに移動させる手段として、天井走行型リフトや床走行式移動リフトなどの介護用移動リフトが利用されている（下記特許文献１参照）。
【０００３】
図７に示すように、介護用移動リフトＲを利用して要介護者を移動させるには、要介護者を乗せて介護用移動リフトＲに懸架するための専用のスリングシートＳが必要となる。
【０００４】
スリングシートＳは、例えば、要介護者の身体を保持するポリエステル布やナイロン製メッシュなどの薄手のシート体からなり、要介護者の背中全体を包み込むように支持する背側支持部Ｓ１と、要介護者の臀部から大腿部を包み込むように支持する脚側支持部Ｓ２とで構成されている。
【０００５】
スリングシートＳは、懸架ベルトＢを介して介護用移動リフトＲに懸架されようになっており、懸架ベルトＢには、例えば高強度の織り布などが用いられ、図７（ａ）に示すように、介護用移動リフトＲのハンガーＲ１に掛け渡されて用いられる。
【０００６】
スリングシートＳには、懸架ベルトＢへと連結される連結手段が設けられており、この例では、図７（ｂ）に示すように、背側支持部Ｓ１の左右上端部にそれぞれ１つずつ、また、スリングシートＳの脚側支持部Ｓ２の左右側部にそれぞれ２つずつストラップＳ３が連結手段として設けられている。
【０００７】
スリングシートＳを介して要介護者を介護用移動リフトＲへと懸架するには、例えば、ベッド上の要介護者の寝位置をずらし、要介護者の身体の下にスリングシートＳを敷く。
【０００８】
この場合、スリングシートＳの背側支持部Ｓ１が要介護者の背中部位に、また、脚側支持部Ｓ２が要介護者の臀部と大腿部の部位に位置するように位置決めし、ずらした要介護者の体をスリングシートＳ上に寝かせる。
【０００９】
次に、介護用移動リフトＲを下降させ、懸架ベルトＢをスリングシートＳのストラップＳ３の空間内に挿通させてハンガーＲ１に掛け渡すことにより、図７（ａ）に示すように、スリングシートＳと懸架ベルトＢとが連結される。
【００１０】
そして、介護用移動リフトＲをゆっくりと上昇させることにより、要介護者をスリングシートＳ内で座位姿勢に保持して懸架することができるようにしている。
【００１１】
このように、スリングシートＳを介して要介護者を介護用移動リフトＲに懸架することにより、所望とする場所に安全に移動させることができるため、介護者の労力負担が軽減できる。
【００１２】
また、スリングシートＳのたわみができないように、懸架ベルトＢの長さを調整し、要介護者がスリングシートＳ内で適正な重心位置を保って移動できるようにし、要介護者の重心ずれによる肉体的緊張を防止するようにしている。
【００１３】
しかしながら、要介護者のスリングシートＳへの位置合わせの不具合や、介護用移動リフトＲの上昇あるいは移動の際にスリングシートＳ内で要介護者の重心が前方、あるいは後方に偏ることがあり、これによりスリングシートＳにたわみが生じ、これが要介護者への身体的負担となること指摘されている。
【００１４】
例えば、身体の体幹を支持するには骨盤の位置が重要となるが、スリングシートがたわんでいると要介護者の重心バランスがずれて骨盤が前後あるいは左右に傾く。そしてこれにより、要介護者の不安感を煽るばかりでなく、脊柱が湾曲、屈曲あるいは伸展するためカウンターバランスがとれず、湾曲姿勢を保つため筋緊張を引き起こすというリスクが生じる。
【先行技術文献】
【特許文献】
【００１５】
【特許文献１】特開２００１−８７３２４号公報
【発明の概要】
【発明が解決しようとする課題】
【００１６】
そこで、本発明は、介護用移動リフトへと懸架するのに利用されるスリングシートを要介護者が着用するパジャマに着脱自在に取り付け、要介護者の体幹を安定的に支持して介護用移動リフトを介して移動させることができる介護用パジャマを提供することにある。
【課題を解決するための手段】
【００１７】
本発明は、上記課題を解決するためになされたもので、自力で移動することが困難で、介護用移動リフトに懸架されて移動することを余儀なくされている要介護者の身体に装着される着衣本体を備え、上記着衣本体は、上記介護者の上肢から大腿部にかけて包み込むように装着される上衣体と、上記要介護者の下腿部を包むように装着されるズボン体とから一体的に形成されており、上記着衣本体には、上記上衣体の後身頃に沿って、懸架ベルトを介して上記要介護者を上記介護用移動リフトに懸架するためのスリングシートが所定の係止手段を介して着脱可能に取り付けられることを特徴としている。
【００１８】
本発明において、上記スリングシートは、上記要介護者の肩部から腰部にかけて包み込むように支持する背側支持部と、上記要介護者の臀部から大腿部にかけて包み込むように支持する脚側支持部とを備えて上記要介護者の脊柱を中心として左右対称に形成されており、上記上衣体の係止手段を、上記スリングシートの上記背側支持部を着脱可能に係止する第１係止手段と、上記スリングシートの上記脚側支持部を着脱可能に係止する第２係止手段とから構成するとよい。
【００１９】
また、本発明において、上記背側支持部の肩側左右上端部と上記脚側支持部の大腿部側左右側部のそれぞれには、上記上衣体の上記第１係止手段と上記第２係止手段と係止可能な係止手段が設けられているとともに、上記上記懸架ベルトへと連結される連結手段が設けられていることが好ましく、上記上衣体には、上記背側支持部の肩側左右上端部と上記脚側支持部の大腿部側左右側部のそれぞれが挿通可能なスリットが設けられているとよい。
【００２０】
本発明において、上記上衣体の後身頃は、表地布と裏地布とで二重に形成されており、上記スリングシートが上記表地布と上記裏地布との間に取り付けられることが好ましく、上記上衣体の後身頃には、上記スリングシートを上記上衣体の内部へと挿通可能な背側スリットが設けられているとよい。
【００２１】
また、上記上衣体の袖部は、袖布と胴体布を脇から襟に向けて斜め４５度の角度として縫合されるラグランスリーブとされており、上記縫合線に沿って上記背側支持部の肩側左右上端部が挿通されるスリットを形成するとよい。
【発明の効果】
【００２２】
本発明によれば、要介護者が着用する介護用パジャマにスリングシートを予め取り付けておくことができるため、要介護者とスリングシートとの位置決めを不要とすることができるため、介護者の労的負担を軽減することができる。
【００２３】
また、スリングシートを介護用パジャマを介して要介護者に密着して装着させることができるため、スリングシートのたわみを防ぎ、要介護者の骨盤位置を安定的に支持することができるため、要介護者の精神的・身体的不安を招くこともない。
【図面の簡単な説明】
【００２４】
【図１】本実施形態の介護用パジャマを模式的に示す（ａ）正面図、（ｂ）その上衣体に設けられる係止ボタンを露出させた例を示す説明図。
【図２】本実施形態の介護用パジャマを模式的に示す背面図。
【図３】本実施形態の介護用パジャマに取り付けられるスリングシートを模式的に示す正面図。
【図４】本実施形態の上衣体の肩側左右上端に設けられる係止手段の一例を示し、（ａ）スリングシートを外した状態の説明図、（ｂ）スリングシートを取り付けた状態の説明図。
【図５】本実施形態の上衣体の肩側左右上端に設けられる係止手段の一例を模式的に召す断面図。
【図６】（ａ１），（ａ２）肩側左右上端部に設けられるストラップ部を模式的に示す説明図、（ｂ１），（ｂ２）大腿部側左右側部に設けられるストラップ部を模式的に示す説明図。
【図７】従来例に係るスリングシートを（ａ）介護用移動リフトに懸架した状態を示す説明図、（ｂ）模式的に示す説明図。
【発明を実施するための形態】
【００２５】
以下、本発明の実施形態を図面を参照して説明するが、本発明はこれに限定されることはない。なお、以下の説明において、介護用移動リフトの構成は上記従来例と同じであってよく、同じ構成要素には同じ参照符号を付してある。
【００２６】
図１および図２に示すように、本発明の介護用パジャマは要介護者の身体全体を包むように装着される着衣本体１からなり、着衣本体１は、大腿部より上部の上半身側に装着される上衣体２と下腿部に装着されるズボン体３とで一体的に形成されている。なお、この例において、着衣本体１は、肌触りや通気性の良い綿やポリエステル等の混紡素材で形成されている。
【００２７】
上衣体２は、要介護者の肩部から両腕にかけて装着される袖部２１と、要介護者の上肢（首回りから腰部にかけて）に装着される胴体装着部２２と、要介護者の大腿部に装着される大腿装着部２３とからなる。
【００２８】
図１および図２に胴体装着部２２と大腿装着部２３との境界線を便宜的に点線Ａで示すが、点線Ａの図１および図２において上方側が胴体装着部２２、点線Ａの図１および図２において下方側が大腿装着部２３とされている。
【００２９】
なお、本実施形態において、袖部２１は、袖布と胴体布を脇から襟に向けて斜め４５度の角度として縫合されるラグランスリーブとされている。また、ズボン体３は、要介護者の両下腿部にそれぞれ装着される右足部３１と左足部３２とから形成されている。
【００３０】
本実施形態において、図１に示すように、着衣本体１の正面（前身頃１ａ）側には、着衣本体１を展開可能な第１および第２の２つのファスナ部４，５が設けられている。
【００３１】
このうち、第１のファスナ部４は、上衣体２の首回り中心部からズボン体３の右足部３１の裾にかけて設けられている。また、第２ファスナ部５は、要介護者の内股に沿うように、ズボン体３の右足部３１の裾から上衣体２の切り替え線Ａの中心付近を経由して左足部３２の裾に至るように設けられている。
【００３２】
そのため、第１のファスナ部４を開くことにより着衣本体１を展開可能とし、要介護者の下着の脱衣や装着を容易にすることができる。また、第２のファスナ部５を全体的あるいは部分的に開くことにより、おむつの取り替えなどを容易にすることができる。
【００３３】
なお、第１ファスナ部４および第２ファスナ部５には、ファスナのスライダが止部に位置した場合にスライダを覆い隠すカバー片４１，５１が設けられており、これにより要介護者の動きによってファスナが勝手に開いてしまうのを回避するようにしている。
【００３４】
本実施形態において、図２に示すように、着衣本体１には、上衣体２の背面（後身頃１ｂ）側に沿って、要介護者を介護用移動リフトを介して懸架するのに用いられるスリングシート９が着脱可能に取り付けられるようになっている。
【００３５】
この例において、上衣体２には、スリングシート９を着脱可能に係止する２つの係止手段が設けられている。２つの係止手段は、上衣体２の袖部２１の肩部に設けられる肩側係止手段６と、上衣体の大腿装着部２３に設けられる脚側係止手段７とからなる。
【００３６】
肩側係止手段６は、図４（ａ）に示すように、後述するスリングシート９の肩側左右上端部９１ａ，９１ｂが挿通される肩側スリット６３，６３と、袖部２１の肩部に縫着される係止ボタン６１，６１と、係止ボタン６１，６１を覆う覆い布６２，６２とから構成されている。
【００３７】
この例で、肩側スリット６３は、袖部２１と胴体装着部２２とのラグラン縫合線上に形成されている。覆い布６２は着衣本体１と同じ肌触りや通気性の良い綿やポリエステル等の混紡素材からなり、図５に示すように、係止ボタン６１を隠すように袖部２１の肩部からスリット６３に向かって設けられる。
【００３８】
また、この例では、覆い布６２は、袖部２１の首回りとその対向する辺のみが縫合されており、係止ボタン６１およびスリット６３の位置する側の辺は開放され、開口部６２ａ，６２ｂとされている（図５参照）。
【００３９】
脚側係止手段７は、図１に示すように、上衣体２の大腿装着部２３の両側側に設けられており、後述するスリングシート９の大腿部側左右側部９２ａ，９２ｂが挿通される脚側第１スリット７３，７３と、大腿装着部２３のスリット７３，７３近傍にそれぞれ縫着される２つの係止ボタン７１，７１と、係止ボタン７１，７１を覆うように縫着される覆い布７２，７２とから構成されている。
【００４０】
この例において、覆い布７２は着衣本体１と同じ肌触りや通気性の良い綿やポリエステル等の混紡素材からなり、その周縁が大腿装着部２３に縫合されることにより設けられているが、脚側第１スリット７３と重なる位置に脚側第２スリット７４が形成されている。
【００４１】
そのため、図１（ｂ）に示すように、脚側第２スリット７４を広げることにより、大腿装着部２３に設けられた脚側第１スリット７３と係止ボタン７１を露出させることができるようになっている。
【００４２】
本実施形態において、図示はされていないが、上衣体２の後身頃１ｂの内側には裏布地が設けられている。そのため、上衣体２の後身頃１ｂのほぼ中央には、後述するスリングシート９を上衣体２の表布地（後身頃１ｂ）と裏布地との間に挿通するための背側スリット８が上衣体２の幅方向に沿って設けられている。
【００４３】
図３には、着衣本体１に着脱可能に取り付けられるスリングシート９が示されている。なお、図３におけるスリングシート９は、上衣体２の後身頃１ｂ側に装着される側とは反対の面側が示されている。
【００４４】
スリングシート９は、図３に示すように、要介護者の上肢（肩部から腰部）を包み込むように支持する背側支持部９１と、要介護者の臀部から大腿部にかけて包み込むように支持する脚側支持部９２とからなり、要介護者の脊柱を中心として左右対称となるように形成されている。
【００４５】
この例において、スリングシート９の背側支持部９１には、肩側係止手段６の係止ボタン６１と係止可能な係止ボタン９３を有し、上衣体２の肩側スリット６３へと挿通される肩側右上端部９１ａおよび肩側左上端部９１ｂが備えられている。
【００４６】
また、スリングシート９の脚側支持部９２には、脚側係止手段７の係止ボタン７１と係止可能な係止ボタン９４を有し、上衣体２の脚側第１および第２スリット７３，７４へと挿通される大腿部側右側部９２ａおよび大腿部側左側部９２ｂが備えられている。
【００４７】
本実施形態において、肩側左右上端部９１ａ，９１ｂおよび大腿部側左右側部９２ａ，９２ｂに設けられる係止ボタン９３，９４は、図３における肩側左右上端部９１ａ，９１ｂおよび大腿部側左右側部９２ａ，９２ｂの反対側に設けられている。
【００４８】
この例で、それら係止ボタン９３，９４は、図３の部分拡大図（破線円形内）に示すように、肩側左右上端部９１ａ，９１ｂおよび大腿部側左右側部９２ａ，９２ｂが手前側（紙面側）に折り畳まれ、係止ボタン６１，７１と係止されるようになっている。
【００４９】
なお、この例においては、肩側右上端部９１ａと肩側左上端部９１ｂにはそれぞれ１個の係止ボタン９３が、大腿部側右側部９２ａと大腿部側左側部９２ｂにはそれぞれ２個の係止ボタン９４が並列して取り付けられている。
【００５０】
また、図３に示すように、肩部左右上端部９１ａ，９１ｂおよび大腿部側左右側部９２ａ，９２ｂには、介護用移動リフトの懸架ベルトＢが挿通可能なテープ状のストラップ部９５，９６がそれぞれ設けられている。
【００５１】
ストラップ部９５，９６は、肩側左右上端部９１ａ，９１ｂおよび大腿部側左右側部９２ａ，９２ｂの係止ボタン９３，９４が設けられる反対側の側辺に沿って設けられており、例えば、高強度の織り布からテープ状に形成されている。
【００５２】
この例で、ストラップ部９５，９６は、図６（ａ１），（ｂ１）に示すように、それぞれその両端がスリングシート９に縫着されており、図６（ａ２），（ｂ２）に示すように、縫着されていないストラップ部９５，９６の中央部分とスリングシート９との隙間９５ａ，９６ａに懸架ベルトＢが挿通されるようになっている。
【００５３】
次に、本発明の介護用パジャマにスリングシート９を取り付け、要介護者を介護用移動リフトに懸架する例を説明する。
【００５４】
まず、スリングシート９を上衣体２の後身頃１ｂ側の背側スリット８へと挿通させ、スリングシート９を上衣体２の表布地と裏布地との間に配置させる。次に、スリングシート９の背側支持部９１の肩側左右上端部９１ａ，９１ｂを肩側係止手段６のスリット６３，６３から引出し、スリングシート９の係止ボタン９３，９３を肩側係止手段６の係止ボタン６１，６１へと係止する。
【００５５】
続いて、大腿装着部２３に設けられた覆い布７２のスリット７４を開き、スリングシート９の脚側支持部９２の大腿部側左右側部９２ａ，９２ｂを、それぞれ脚側係止手段７のスリット７３，７３へと挿通し、大腿部側左右側部９２ａ，９２ｂの係止ボタン９３と大腿部装着部２３の係止ボタン７１とをそれぞれ係止する。
【００５６】
そして、ファスナ部３１を開いて着衣本体１を展開し、その上に要介護者を寝かせてファスナ部３１を閉めることにより、要介護者にスリングシート９が取り付けられた介護用パジャマを着用させることができる。
【００５７】
要介護者を介護移動用リフトに懸架するには、まず、肩側係止手段６の覆い布６２の開口部６２ａを開き、スリングシート９の肩側左右上端部９１ａ，９１ｂの係止ボタン９３，９３と肩側係止手段６の係止ボタン６１，６１の係止状態を解除する。
【００５８】
そして、覆い布６２の開口部６２ｂ側からスリングシート９の肩側左右上端部９１ａ，９１ｂを引き出し、肩側左右上端部９１ａ，９１ｂのストラップ部９５，９５の隙間９５ａ，９５ａに懸架ベルトＢをれぞれ挿通させる。
【００５９】
また同時に、脚側係止手段７の覆い布７２のスリット７４を開き、大腿部側左右両端部９２ａ，９２ｂの係止ボタン９３，９３と脚側係止手段７の係止ボタン７１，７１との係止状態を解除する。
【００６０】
そして、大腿部側左右両端部９２ａ，９２ｂを覆い布７２のスリット７４から引き出し、大腿部側左右両端部９２ａ，９２ｂのストラップ部９６，９６の隙間９６ａ，９６ａへと懸架ベルトＢをそれぞれ挿通させる。
【００６１】
その後、介護用移動リフトＲを下降させ、ハンガーＲ１へと懸架ベルトＢを掛け渡し、介護用移動リフトＲをゆっくり上昇させることにより、ベッドに寝た状態の要介護者を座位姿勢へと矯正しつつ、安定的に介護用移動リフトに懸架することができる。
【００６２】
このように、要介護者に着用される着衣本体１に直接スリングシート９を取り付けたことにより、スリングシート９を要介護者に位置合わせすることなく適正位置に装着させることができるため、要介護者の座位姿勢を介護用移動リフトＲの上昇・移動によるスリングシート１０内での安定させることができる。
【００６３】
そのため、スリングシート９内での重心バランスの悪さに起因する要介護者の不安感を払拭することができるとともに、要介護者の体幹を確実に支持した状態で安全に移動させることができる。
【００６４】
なお、上記実施形態では、ベット上の要介護者を介護移動用リフトＲに懸架する例で説明したが、車いすにいる要介護者を介護用移動リフトＲに懸架するのも同様の手順により行うことができる。
【００６５】
また、上記実施形態では、上衣体２の袖部２１をラグランスリーブとし、袖部２１と胴体装着部２２との縫合線にスリングシート９の肩側左右上端部９１ａ，９１ｂを引き出すスリットを設けているがこれに限られることはなく、スリングシート９の形状や肩側左右上端部９１ａ，９１ｂの位置に合わせてスリットを設ければよい。
【００６６】
上記実施形態において、着衣本体１とスリングシート９との着脱を係止ボタン６１，７１および係止ボタン９３，９４により行う例で説明したが、その着脱手段は係止ボタンに限られることはなく例えば、面ファスナなど、着衣本体１とスリングシート９とが着脱可能とされるものであればよい。
【００６７】
また、それら係止ボタン６１，７１，９３，９４の数も、着衣本体１やスリングシート９の形状などに併せて適宜変更可能である。
【符号の説明】
【００６８】
１  着衣本体
１ａ  前身頃
１ｂ  後身頃
２  上衣体
２１  袖部
２２  胴体装着部
２３  大腿装着部
３  ズボン体
３１  右足部
３２  左足部
６  肩側係止手段
７  脚側係止手段
６１，７１  係止ボタン
６２，７２  覆い布
６３，７３，７４，８  スリット
９  スリングシート
９１  背側支持部
９１ａ  肩側右上端部
９１ｂ  肩側左上端部
９２  脚側支持部
９２ａ  大腿部側右側部
９２ｂ  大腿部側左側部
９３，９４  係止ボタン
９５，９６  ストラップ部
【図１】
0006352082.tif 000002
【図２】
0006352082.tif 000003
【図３】
0006352082.tif 000004
【図４】
0006352082.tif 000005
【図５】
0006352082.tif 000006
【図６】
0006352082.tif 000007
【図７】
0006352082.tif 000008